(57)【要約】【課題】従来技術の画像蓄積方法では、自動処理により検索用データが画像に付加されるため、複数の撮像した画像を蓄積した後に目的の画像を検索しようとした場合、いずれのキーワードが検索キーとして付加されているかを推定して検索を行わなければならない。【解決手段】上記課題を解決するために、本発明の電子機器では、入力受付部にてユーザからの個人識別情報の入力を受け付け、入力された個人識別情報と撮像した画像とから画像ファイルを生成するため、ユーザは撮像した画像と関連付けられている個人識別情報を認識した上で画像ファイルを他の機器へ送信することができる。このため、送信された画像を受信した画像蓄積装置において、入力した個人識別情報に基づいて画像ファイルを分類することができる。これにより、ユーザが蓄積された複数の画像ファイルの中から自らが撮像した画像ファイルを探し出す場合の利便性を向上させることができる。【選択図】          図１
2008187316.tif 000002
【特許請求の範囲】
【請求項１】
個人識別情報の入力を受付ける入力受付部と、
撮像部と、
撮像部にて撮像した画像と、入力された個人識別情報とを含む画像ファイルを生成可能な画像ファイル生成部と、
画像ファイルを送信する送信部と、
を有する電子機器。
【請求項２】
撮像部は、撮像用ファインダーを有し、
入力受付部にて入力された個人識別情報を、撮像の際にファインダー内に表示する個人識別情報表示部を有する請求項１に記載の電子機器。
【請求項３】
入力受付部にて個人識別情報が入力されないで撮像モードとなった場合には、ファインダー内に個人識別情報の入力を促す報知を表示する報知部を有する請求項１又は２に記載の電子機器。
【請求項４】
入力受付部にて個人識別情報が入力されないで撮像された場合に画像ファイルに含まれるべきデフォルトの情報を保持するデフォルト情報保持部を有する請求項１から３のいずれか一に記載の電子機器。
【請求項５】
入力受付部は、一の画像ファイルに含ませる個人識別情報として複数の個人識別情報を入力可能にするための複数入力手段を有し、
画像ファイル生成部は、複数入力手段にて入力された複数の個人識別情報を含む画像ファイルを生成する複数画像ファイル生成手段を有する請求項１から４のいずれか一に記載の電子機器。
【請求項６】
入力受付部は、入力すべき個人識別情報の候補をファインダー内に表示するとともに、ファインダー内にて選択させるためのファインダー内選択手段を有する請求項１から５のいずれか一に記載の電子機器。
【請求項７】
請求項１から６のいずれか一に記載の電子機器から送信される画像ファイルを受信する受信部と、
受信した画像ファイルを蓄積する蓄積部と、
蓄積された画像ファイルを各画像ファイルに含まれる個人識別情報を利用して分類する分類部と、
分類部での分類結果に従った画像ファイル一覧表示をするための一覧表示部と、を有する画像蓄積装置。
【発明の詳細な説明】
【技術分野】
【０００１】
本発明は、複数の撮像画像を分類するための識別情報を付加する電子機器及び当該識別情報に応じて画像を分類する画像蓄積装置の技術に関する。
【背景技術】
【０００２】
近年、携帯電話やデジタルカメラの機能の向上により、これらの端末で撮像した画像を異なる電子機器間で送受信することが可能となっている。例えば、携帯電話のカメラ機能やデジタルカメラで撮像した画像を、赤外線通信、Ｂｌｕｅｔｏｏｔｈ（登録商標）、ＵＳＢケーブルなどでパソコンやレコーダ等の画像蓄積装置に転送することができる。
【０００３】
画像蓄積装置では、パソコン用のディスプレイやテレビジョン装置を接続することで、転送された画像を視聴することができるが、蓄積された画像が膨大な量になると、その中から表示させたい画像を探し出すことが困難となる。
【０００４】
そこで、特許文献１に記載の発明では、デジタルスチルカメラで撮影して得られた画像にヘッダ情報を付加し、該ヘッダ情報に検索用データを含めることとしている。これにより、蓄積された複数の画像を検索用データにて検索することができ、ユーザによる画像の選択を容易に行うことができる。また、特許文献２に記載の発明では、撮影装置で撮影された画像に外部から取得した基準時刻を付加情報として付加し、該付加情報により蓄積された複数の画像を時系列に整理することとしている。これにより、蓄積された複数の画像を撮像した時刻に基づいて選択し、閲覧等を行うことができる。
【特許文献１】特開平３−１１７１８１号公報
【特許文献２】特開２００４−３１２２９５号公報
【発明の開示】
【発明が解決しようとする課題】
【０００５】
しかしながら、特許文献１に記載の発明では、自動処理により検索用データが画像に付加されるため、複数の撮像した画像を蓄積した後に目的の画像を検索しようとした場合、いずれのキーワードが検索キーとして付加されているかを推定して検索を行わなければならない。また、特許文献２に記載の発明においても、自動処理により基準時刻が付加情報として付加されるため、後から目的の画像を選択しようとすると、撮像日時等を推定して捜さなければならない。このように、従来技術では、自動処理により検索用データが画像に付加されるため、複数の撮像した画像を蓄積した後に目的の画像を検索しようとした場合、いずれのキーワードが検索キーとして付加されているかを推定して検索を行わなければならなかった。
【課題を解決するための手段】
【０００６】
上記課題を解決するために、本発明の第一発明では、個人識別情報の入力を受付ける入力受付部と、撮像部と、撮像部にて撮像した画像と、入力された個人識別情報とを含む画像ファイルを生成可能な画像ファイル生成部と、画像ファイルを送信する送信部と、を有する電子機器を提供する。第二発明では、前記撮像部は、撮像用ファインダーを有し、入力受付部にて入力された個人識別情報を、撮像の際にファインダー内に表示する個人識別情報表示部を有する第一発明に記載の電子機器を提供する。第三発明では、前記入力受付部にて個人識別情報が入力されないで撮像モードとなった場合には、ファインダー内に個人識別情報の入力を促す報知を表示する報知部を有する第一発明又は第二発明に記載の電子機器を提供する。第四発明では、前記入力受付部にて個人識別情報が入力されないで撮像された場合に画像ファイルに含まれるべきデフォルトの情報を保持するデフォルト情報保持部有する第一発明から第三発明のいずれか一に記載の電子機器を提供する。第五発明では、前記入力受付部は、一の画像ファイルに含ませる個人識別情報として複数の個人識別情報を入力可能するための複数入力手段を有し、画像ファイル生成部は、複数入力手段にて入力された複数の個人識別情報を含む画像ファイルを生成する複数画像ファイル生成手段を有する第一発明から第四発明のいずれか一に記載の電子機器を提供する。第六発明では、前記入力受付部は、入力すべき個人識別情報の候補をファインダー内に表示するとともに、ファインダー内にて選択させるためのファインダー内選択手段を有する第一発明から第五発明のいずれか一に記載の電子機器を提供する。第七発明では、第一発明から第六発明のいずれか一に記載の電子機器から送信される画像ファイルを受信する受信部と、受信した画像ファイルを蓄積する蓄積部と、蓄積された画像ファイルを各画像ファイルに含まれる個人識別情報を利用して分類する分類部と、分類部での分類結果に従った画像ファイル一覧表示をするための一覧表示部と、を有する画像蓄積装置を提供する。
【発明の効果】
【０００７】
以上のような構成をとる本発明の電子機器では、入力受付部にてユーザからの個人識別情報の入力を受け付け、入力された個人識別情報と撮像した画像とから画像ファイルを生成するため、ユーザは撮像した画像と関連付けられている個人識別情報を認識した上で画像ファイルを他の機器へ送信することができる。このため、送信された画像を受信した画像蓄積装置において、入力した個人識別情報に基づいて画像ファイルを分類することができる。これにより、ユーザが蓄積された複数の画像ファイルの中から自らが撮像した画像ファイルを探し出す場合の利便性を向上させることができる。
【発明を実施するための最良の形態】
【０００８】
本発明を実施するための最良の形態について、図面を用いて詳細に説明する。なお、本発明はこれら実施の形態になんら限定されるものではなく、その要旨を逸脱しない範囲において種々なる態様で実施しうる。なお、以下の実施形態と請求項の関係は次のとおりである。実施形態１は主として請求項１などについて説明する。実施形態２は主として請求項２などについて説明する。実施形態３は主として請求項３、４などについて説明する。実施形態４は主として請求項５、６などについて説明する。実施形態５は主として請求項７などについて説明する。
【０００９】
≪実施形態１≫（実施形態１の概念）実施形態１について説明する。図１に本実施形態における電子機器（０１００）として携帯電話を用いた場合の概念を示す。本電子機器では、カメラ機能により撮像する際または事前にテンキー（０１０１）などの入力装置を利用してユーザが個人識別情報（例えば、「ＸＸＸ０１」）を入力する。そして、カメラ機能にて被写体（０１０２）を撮像して得られた画像（０１０３ａ）と入力された個人識別情報（０１０３ｂ）から個人識別情報を含む画像ファイル（０１０３）が生成される。電子機器は通信機能を備え、通信機能を利用して生成された画像ファイルを画像蓄積装置（０１０４）などに送信することができる。画像ファイルを受信した画像蓄積装置では、ユーザは入力した個人識別情報に基づいて、目的とする画像の検索等を行うことができる。
【００１０】
（実施形態１の構成）図２に本実施形態にかかる電子機器の機能ブロック図の一例を示す。本実施形態にかかる「電子機器」（０２００）は、「入力受付部」（０２０１）と「撮像部」（０２０２）と、「画像ファイル生成部」（０２０３）と、「送信部」（０２０４）とからなる。
【００１１】
（実施形態１の構成の説明）「電子機器」（０２００）は、少なくとも入力受付部、撮像部、画像ファイル生成部、送信部を有する電子データを利用可能な機器である。より具体的には、携帯電話、デジタルカメラ、デジタルビデオカメラ、ＰＤＡ（Ｐｅｒｓｏｎａｌ Ｄｉｇｉｔａｌ Ａｓｓｉｓｔａｎｔ）、ノートパソコンなどであり、少なくとも撮像機能と撮像した画像を処理する機能とファイル送信機能とを有している装置で実現可能である。
【００１２】
「入力受付部」（０２０１）とは、個人識別情報の入力を受付けるように構成されている。入力受付部へ入力するための入力操作手段は、個人識別情報の入力操作を行うことができるものであれば特段限定されるものではない。例えば、入力操作手段は、携帯電話やノートパソコンなどに設けられたテンキーであっても良いし、携帯電話やデジタルカメラなどの機能操作を行うために設けられた操作キーであっても良いし、ＰＤＡやノートパソコンなどに設けられたキーボードであっても良いし、指紋や虹彩などを読み取る生体認証装置であっても良い。生体認証による個人識別情報の入力は、例えば、撮像部での撮像を行うために押下げするシャッターボタンに指紋認証機能を設けたり、撮像を行うためにユーザが覗くファインダーに虹彩認証機能を設けたり、さらには、ファインダー側にも撮像装置を設けて顔認証機能を設けたりすることも可能である。また、電子機器が表示部を備えている場合には、表示部に表示されたソフトウェアキーボードや、チェックボックス式やプルダウン式に表示された複数の個人識別情報候補から選択することで個人識別情報を入力することとしても良い。
【００１３】
「個人識別情報」とは、個人を識別する情報である。例えば、氏名、性別、識別ＩＤ、ニックネーム、生体認証情報などの情報である。個人識別情報は、少なくとも複数人で電子機器を利用する場合に利用者の間で個人を特定することができるものであれば良い。すなわち、個人識別情報は、唯一の個人を確実に特定する情報（例えば、住所と氏名の組み合わせ、住民基本台帳番号、生体認証情報）までを必要とするのではなく、電子機器を複数人で利用する場合に画像を撮像した主体を特定できる程度の情報で良い。例えば、「パパ」、「たかし」といった簡易な文字列で表されたものであっても良いし、予め利用者の間で利用者番号を決めておき、「０１」、「ユーザ０３」などといった数字を組み合わせて表されたものであっても良い。また、個人識別情報として生体認証情報を入力する場合には、該生体認証情報と文字情報を対応付けしておき、ディスプレイ等に確認のために個人識別情報を表示する場合には表示上は文字情報を表示することとしても良い。
【００１４】
「撮像部」（０２０２）は、画像を電子的に撮像するように構成されている。撮像部は、一般的なカメラユニットからなり、より具体的にはＣＣＤなどの撮像素子やレンズなどからなる。
【００１５】
「画像ファイル生成部」（０２０３）は、撮像部にて撮像した画像と、入力された個人識別情報とを含む画像ファイルを生成可能となるように構成されている。図１に示したように、入力受付部にて入力された個人識別情報が「ｘｘｘ０１」である場合には、撮像した画像（０１０３ａ）と、個人識別情報「ｘｘｘ０１」（０１０３ｂ）とから画像ファイル（０１０３）が生成される。個人識別情報は、入力受付部にて入力された情報であるため、ユーザは、いずれの個人識別情報が画像ファイルに含まれているかを予め知ることができる。このため、複数の画像ファイルの中から自己の個人識別情報が含まれる画像ファイルを探し出す場合には、予め自覚している自己の個人識別情報に基づいて検索を行うだけで目的とする画像ファイルを探し出すことができる。また、個人識別情報を家族間で認識している場合などには、家族の各人が撮像した画像ファイルを容易に探し出すこともできる。
【００１６】
個人識別情報は、画像ファイルのヘッダ領域の情報やプロパティ情報として画像ファイルに含めることができる。なお、画像ファイルは、少なくとも個人識別情報を含んでいれば良く、個人識別情報以外の情報も含んでいても良い。個人識別情報以外の情報としては、例えば、電子機器を識別する機器識別情報、画像の撮像日時を示す日時情報、画像ファイルのファイル形式、画像ファイルの解像度などの情報が該当し、これらを含めても良い。例えば、個人識別情報と機器識別情報を画像ファイルに含めた場合には、該画像ファイルを検索する場合には、個人識別情報と機器識別情報を組み合わせたキーワードで検索することが可能となる。
【００１７】
「送信部」（０２０４）は、画像ファイルを送信するように構成されている。送信部は、画像ファイルを送信することができるのであればその送信手段は限定されない。送信手段は、無線ＬＡＮ、赤外線通信、Ｂｌｕｅｔｏｏｔｈなどの無線通信手段であっても良いし、ＵＳＢやｉ．Ｌｉｎｋ（登録商標）、イーサネット（登録商標）などの有線通信手段であっても良い。また、インターネットなどのネットワークを介して通信することとしても良いし、直接他の機器と接続して通信することとしても良い。
【００１８】
（実施形態１のハードウェア構成）図３に、本実施形態における電子機器を実現するためのハードウェア構成を示す。本電子機器（０３０１）は、主としてＣＰＵ（０３０２）、ＲＡＭ等の揮発性メモリ（０３０３）、ＨＤＤ等の不揮発性メモリ（０３０４）、ＣＣＤ（０３０５）、入力操作キー（０３０６）、通信インターフェイス（０３０７）、ＣＣＤにて撮像された画像を表示するディスプレイ（０３０８）、これらを繋ぐシステムバス（０３０９）などからなる。
【００１９】
本電子機器の入力受付部（０２０１）は入力操作キー（０３０６）と不揮発性メモリ（０３０４）などからなり、撮像部（０２０２）はＣＣＤ（０３０５）などからなり、画像ファイル生成部（０２０３）はＣＰＵ（０３０２）と揮発性メモリ（０３０３）と不揮発性メモリ（０３０４）と不揮発性メモリに格納されたプログラムなどからなり、送信部（０２０４）は通信インターフェイス（０３０７）などからなる。
【００２０】
（実施形態１の具体例）以下に、上記ハードウェア構成からなる電子機器の具体的な動作を説明する。本電子機器では、まず、入力操作キー（０３０６）により個人識別情報を入力する。入力操作キーとしては、テンキー、機能操作キー、生体認証装置や、ディスプレイ上に表示されたソフトウェアキーボード、チェックボックス式やプルダウン式に表示された候補の選択、などのいずれか一又は複数が用意され、これらの操作により個人識別情報を入力することができる。入力された個人識別情報は、不揮発性メモリ（０３０４）の所定のアドレスＰに格納される。なお、個人識別情報は予め入力せずにＣＣＤ（０３０５）などの撮像部にて画像を撮像する際に入力することとしても良い。
【００２１】
ユーザがＣＣＤ（０３０５）などの撮像部にて画像を撮像すると、撮像された画像は揮発性メモリ（０３０３）のワーク領域に一時的に格納される。揮発性メモリのワーク領域に画像が格納されると、ＣＰＵ（０３０２）ではこれを検知してアドレスＰに格納されている個人識別情報を読み出し、不揮発性メモリの所定のアドレスＱに格納されている画像ファイル生成プログラムを起動する。画像ファイル生成プログラムでは、不揮発性メモリのアドレスＰに格納されている個人識別情報を取得し、揮発性メモリの所定のワーク領域に格納された画像に該個人識別情報を含めて画像ファイルとし、これを不揮発性メモリの所定のアドレスＲに格納する。不揮発性メモリのアドレスＲには、複数の画像ファイルを格納可能とし、撮像された画像は個人識別情報を含む画像ファイルとして不揮発性メモリの記憶容量が一杯になるまで格納することができる。
【００２２】
不揮発性メモリのアドレスＲに少なくとも１以上の画像ファイルが格納された状態となると、電子機器では格納された画像ファイルを送信することができる。通信インターフェイス（０３０７）にて他の電子機器や画像蓄積装置と接続した状態において、画像ファイルを送信する指示をＣＰＵが受付けると、画像ファイルは接続された画像蓄積装置等へ送信される。なお、画像ファイルの送信の指示は、所定の条件を満たした場合に発せられる。所定の条件とは、ユーザによる入力操作キーの押下による送信指示を受けた場合や、画像蓄積装置との通信リンクの確立を検知した場合など、任意に設定可能である。
【００２３】
画像ファイルを受信した画像蓄積装置では、画像ファイルに含まれる個人識別情報にて画像を分類することができる。画像蓄積装置における画像の分類については実施形態５にて詳細に説明する。
【００２４】
なお、上記ハードウェア構成は一例を示すものであり、上記以外のハードウェアにて本電子機器を構成しても良い。この場合には、各ハードウェア構成における処理は上記処理に限られない。
【００２５】
（実施形態１の処理の流れ）以下に、図４を用いて本電子機器の処理の流れを示す。本電子機器は、まず、個人識別情報を入力する（Ｓ０４０１）。次に、撮像部にて撮像して画像を取得する（Ｓ０４０２）。撮像した画像が取得されると、撮像した画像と入力された個人識別情報とを含む画像ファイルを生成する（Ｓ０４０３）。生成された画像ファイルは送信部にて送信することができる（Ｓ０４０４）。送信された画像ファイルは画像蓄積装置にて受信され、画像蓄積装置に蓄積された画像ファイルは、個人識別情報に基づいて分類することができる。
【００２６】
（実施形態１の効果）以上のような構成をとる実施形態１の電子機器では、入力受付部にてユーザからの個人識別情報の入力を受け付け、入力された個人識別情報と撮像した画像とから画像ファイルを生成するため、ユーザは撮像した画像と関連付けられている個人識別情報を認識した上で画像ファイルを他の機器へ送信することができる。このため、送信された画像を受信した画像蓄積装置において、自らが入力した個人識別情報に基づいて画像ファイルを分類することができる。これにより、ユーザが蓄積された複数の画像ファイルの中から自らが撮像した画像ファイルを探し出す場合の利便性を向上させることができる。
【００２７】
≪実施形態２≫（実施形態２の概念）実施形態２について説明する。図５（ａ）に本実施形態における電子機器（０５００）としてデジタルカメラを用いた場合の概念を示す。本電子機器は、デジタルカメラの入力操作を受付ける入力受付部（０５０１）にて入力した個人識別情報（０５０２）を、撮像の際にファインダー（０５０３）内に表示することを特徴とする。これにより、ユーザは撮像の際に画像ファイルとして含まれる個人識別情報「パパ」を撮像の際に確認することができる。したがって、個人識別情報が間違っている場合や他人の個人識別情報が設定されている場合であっても、誤った個人識別情報が画像ファイルに含まれる前に個人識別情報が間違っていることに気付くことができ、再度入力受付部にて正しい個人識別情報を入力することができる。
【００２８】
（実施形態２の構成）図６に本実施形態にかかる電子機器の機能ブロック図の一例を示す。本実施形態にかかる電子機器は、「入力受付部」（０６０１）と「撮像部」（０６０２）と、「画像ファイル生成部」（０６０３）と、「送信部」（０６０４）とからなり、さらに、「個人識別情報表示部」（０６０５）と、撮像部が「撮像用ファインダー」を有することを特徴とする。
【００２９】
（実施形態２の構成の説明）「撮像部」（０６０２）は、実施形態１に記載の撮像部を基本とし、撮像用ファインダーを有している。「撮像用ファインダー」とは、撮像部にて画像を撮像する際のファインダーである。本電子機器では、撮像部にて撮像される画像は電子的に撮像される画像であるため、撮像用ファインダーは液晶ディスプレイなどにて構成される。電子機器がデジタルカメラである場合には、図５に示すように、デジタルカメラの背面に設けられた液晶ディスプレイが撮像用ファインダーに該当する。電子機器が携帯電話である場合には、携帯電話をカメラの撮影モードにすると携帯電話に設けられたディスプレイにて被写体を確認することができるため、該ディスプレイが撮像用ファインダーに該当する。
【００３０】
「個人識別情報表示部」（０６０５）は、前記入力受付部にて入力された個人識別情報を、撮像の際にファインダー内に表示するように構成されている。「撮像の際」とは、デジタルカメラや携帯電話に設けられたシャッターボタンを押下げする際のみならず、撮像用ファインダーを起動している最中であっても良い。「ファインダー内」とは、撮像用ファインダーとして利用されているディスプレイ内のことである。図５（ｂ）にてこれを詳細に示す。図５（ｂ）では、デジタルカメラの撮像用ファインダーであるディスプレイ内に、被写体の表示と共に個人識別情報として「パパ」と表示されている。このように、個人識別情報表示部により、撮像の際にファインダー内に個人識別情報が表示されるので、撮影者は撮影した画像ファイルに含まれる個人識別情報を確認することができる。デジタルカメラを家族間で共用するような場合には、実際に撮影する人ではなく、家族内の他の人の個人識別情報が入力された状態となっている場合が想定される。このような場合にも、撮像の際にファインダー内に表示される個人識別情報を確認することで、個人識別情報を入力し直すことができ、適切な個人識別情報を画像ファイルに含めることができる。図５（ｂ）の場合では、撮像者の個人識別情報が「パパ」ではなく「ママ」である場合には、図５（ｃ）に示すように、個人識別情報を「ママ」と入力し直して改めて撮像することができる。なお、個人識別情報の修正は撮像した後に行っても良い。
【００３１】
（実施形態２のハードウェア構成）図７に、本実施形態における電子機器を実現するためのハードウェア構成を示す。本電子機器（０７０１）は、主としてＣＰＵ（０７０２）、ＲＡＭ等の揮発性メモリ（０７０３）、ＨＤＤ等の不揮発性メモリ（０７０４）、ＣＣＤ（０７０５）、入力操作キー（０７０６）、通信インターフェイス（０７０７）、ＣＣＤにて撮像された画像を表示するディスプレイ（０７０８）、これらを繋ぐシステムバス（０７０９）などからなる。
【００３２】
本電子機器の入力受付部（０６０１）は入力操作キー（０７０６）と不揮発性メモリ（０７０４）などからなり、撮像部（０６０２）はＣＣＤ（０７０５）などからなり、画像ファイル生成部（０６０３）はＣＰＵ（０７０２）と揮発性メモリ（０７０３）と不揮発性メモリ（０７０４）と不揮発性メモリに格納されたプログラムなどからなり、送信部（０６０４）は通信インターフェイス（０７０７）などからなり、個人識別情報表示部（０６０５）はディスプレイ（０７０８）などからなる。
【００３３】
（実施形態２の具体例）以下に、上記ハードウェア構成からなる電子機器の具体的な動作を説明する。本電子機器では、まず、入力操作キー（０７０６）により個人識別情報を入力する。入力操作キーとしては、テンキー、機能操作キー、生体認証装置や、ディスプレイ上に表示されたソフトウェアキーボード、チェックボックス式やプルダウン式に表示された候補の選択、などのいずれか一又は複数が用意され、これらの操作により個人識別情報を入力することができる。入力された個人識別情報は、不揮発性メモリ（０７０４）の所定のアドレスＰに格納される。なお、個人識別情報は予め入力せずにＣＣＤ（０７０５）などの撮像部にて画像を撮像する際に入力することとしても良い。
【００３４】
ユーザが電子機器のカメラ機能を起動させると、ＣＰＵ（０７０２）ではディスプレイ（０７０８）に表示されていたメニュー画面等を撮像用ファインダーに切り換え、これと同時に不揮発性メモリのアドレスＰに格納されている個人識別情報を読み出して撮像用ファインダーであるディスプレイ内に表示する。これにより、ユーザは撮像した画像にいずれの個人識別情報が含まれるのかを確認することができる。個人識別情報が、実際に電子機器を使用しているユーザを識別する情報と異なる場合には、ユーザは入力操作キーを操作することによりユーザを識別する個人識別情報を再度入力することができる。再度入力された個人識別情報は、先に格納されていた個人識別情報を上書きしてアドレスＰに格納されても良いし、先に格納されていた個人識別情報と並存して別のアドレスに格納しても良い。
【００３５】
そして、ユーザがＣＣＤなどの撮像部にて画像を撮像すると、撮像された画像は揮発性メモリ（０７０３）のワーク領域に一時的に格納される。揮発性メモリのワーク領域に画像が格納されると、ＣＰＵではこれを検知して不揮発性メモリの所定のアドレスＱに格納されている画像ファイル生成プログラムを起動する。画像ファイル生成プログラムでは、表示されていた個人識別情報が格納されたアドレスから個人識別情報を取得し、揮発性メモリの所定のワーク領域に格納された画像に該個人識別情報を含めて画像ファイルとし、これを不揮発性メモリの所定のアドレスＲに格納する。不揮発性メモリのアドレスＲには、複数の画像ファイルを格納可能とし、撮像された画像は個人識別情報を含む画像ファイルとして不揮発性メモリの記憶容量が一杯になるまで格納することができる。
【００３６】
以降の処理は実施形態１と同様であるため説明を省略する。なお、上記ハードウェア構成は一例を示すものであり、上記以外のハードウェアにて本電子機器を構成しても良い。この場合には、各ハードウェア構成における処理は上記処理に限られない。
【００３７】
（実施形態２の効果）以上のような構成をとる実施形態２の電子機器では、実施形態１の効果に加えて、撮像の際に個人識別情報を確認することができるため、誤った個人識別情報が画像ファイルに含まれることを防止し、適切な個人識別情報を画像ファイルに含めることができる。これにより、画像ファイルを受信した画像蓄積装置における分類をより適切に行うことができる。
【００３８】
≪実施形態３≫（実施形態３の概念）実施形態３について説明する。本電子機器は、実施形態１又は２に記載の電子機器を基本とし、さらに、個人識別情報が入力されていない場合の処理に特徴を有する。本電子機器では、個人識別情報が入力されないままに撮像モードになると、個人識別情報が入力されていないことを通知し、個人識別情報の入力を促す報知を表示することを特徴とする。また、個人識別情報が入力されないまま撮像された場合には、個人識別情報としてデフォルトの情報を画像ファイルに含ませることを特徴とする。
【００３９】
（実施形態３の構成）図８に本実施形態にかかる電子機器の機能ブロック図の一例を示す。本実施形態にかかる電子機器は、「入力受付部」（０８０１）と「撮像部」（０８０２）と、「画像ファイル生成部」（０８０３）と、「送信部」（０８０４）とからなり、さらに、「報知部」（０８０５）、及び／又は「デフォルト情報保持部」（０８０６）を有することを特徴とする。
【００４０】
（実施形態３の構成の説明）「報知部」（０８０５）は、入力受付部にて個人識別情報が入力されないで撮像モードとなった場合には、ファインダー内に個人識別情報の入力を促す報知を表示するように構成されている。「撮像モード」とは、撮像ファインダーに被写体が映し出され、シャッターボタン等の押下げにより撮像が開始されうる状態をいう。例えば、電子機器がデジタルカメラである場合には、撮像モードの他にディスプレイにて撮像した画像を視聴したりする視聴モードや、電子機器の各種設定を行うためのメニューモードなどが存在する。また、電子機器が携帯電話機である場合には、電話モード、ゲームモード、電話帳表示モードなど様々な機能が存在するが、カメラ機能を起動し、被写体がディスプレイなどに表示されて撮像を行うことができる状態が撮像モードに該当する。
【００４１】
報知部では、入力受付部にて個人識別情報が入力されないで撮像モードとなった場合には、図９（ａ）に示すように、ファインダー内に「個人識別情報が入力されていません」といった表示や、図９（ｂ）に示すように「個人識別情報を入力しますか？ＹＥＳ／ＮＯ」といった表示をして個人識別情報の入力を促す。当該表示後に入力受付部を起動することとしても良い。また、テキストを画面上に表示する代わりに、個人識別情報が入力されていないことを報知する報知音をスピーカに出力することとしても良い。
【００４２】
「デフォルト情報保持部」（０８０６）は、入力受付部にて個人識別情報が入力されないで撮像された場合に画像ファイルに含まれるべきデフォルトの情報を保持するように構成されている。電子機器に前記報知部が設けられていない場合や、前記報知にもかかわらずユーザが個人識別情報の入力を行わなかった場合に、ユーザが個人識別情報の入力をしなければ撮像部での撮像を行うことができないとすれば、電子機器操作の利便性は劣る。しかし、個人識別情報が画像ファイルに含まれないとなると画像ファイルの分類分けが困難となる。そこで、デフォルト情報保持部には、デフォルトの個人識別情報を保持しておき、入力受付部にて個人識別情報が入力されないで撮像された場合にはデフォルトの個人識別情報を画像ファイルに含める。デフォルトの個人識別情報としては、「ユーザ０１」などの定型文や、電子機器の機器識別情報などを設定しておく。デフォルトの個人識別情報として電子機器特有の機器識別情報を保持している場合には、ユーザが個人識別情報を入力しない場合であっても、画像ファイルには少なくとも機器識別情報が含まれる。このため、画像ファイルを画像蓄積装置等に転送した後であっても、当該画像を機器識別情報にて識別することができる。
【００４３】
（実施形態３のハードウェア構成）図１０に、本実施形態における電子機器を実現するためのハードウェア構成を示す。本電子機器（１００１）は、主としてＣＰＵ（１００２）、ＲＡＭ等の揮発性メモリ（１００３）、ＨＤＤ等の不揮発性メモリ（１００４）、ＣＣＤ（１００５）、入力操作キー（１００６）、通信インターフェイス（１００７）、ＣＣＤにて撮像された画像を表示するディスプレイ（１００８）、これらを繋ぐシステムバス（１００９）などからなる。
【００４４】
本電子機器の入力受付部（０８０１）は入力操作キー（１００６）と不揮発性メモリ（１００４）などからなり、撮像部（０８０２）はＣＣＤ（１００５）などからなり、画像ファイル生成部（０８０３）はＣＰＵ（１００２）と揮発性メモリ（１００３）と不揮発性メモリ（１００４）と不揮発性メモリに格納されたプログラムなどからなり、送信部（０８０４）は通信インターフェイス（１００７）などからなり、報知部（０８０５）はディスプレイ（１００８）などからなり、デフォルト情報保持部（０８０６）は不揮発性メモリなどからなる。
【００４５】
（実施形態３の具体例）以下に、上記ハードウェア構成からなる電子機器の具体的な動作を説明する。本電子機器では、ユーザは、まず、入力操作キー（１００６）などの操作により電子機器の有する機能の中からカメラ機能を選択し、電子機器を撮像モードに変更する。電子機器が撮像モードに変更されると、ＣＰＵ（１００２）では、所定アドレスＰを検索し、ユーザにより入力された個人識別情報が格納されているか否かを検知する。所定のアドレスＰにユーザにより入力された個人識別情報が格納されている場合には、以降の処理は実施形態１又は２と同様である。所定のアドレスＰに個人識別情報が格納されていない場合には、電子機器は、報知部により図９（ａ）、（ｂ）に示したような表示をディスプレイ上に行い、個人識別情報の入力を促す。そして、ユーザが個人識別情報を入力した場合には、入力された個人識別情報をアドレスＰに格納する。また、ユーザが個人識別情報の入力を行わない場合には、所定のアドレスＳに格納されているデフォルトの個人識別情報を個人識別情報として所定のアドレスＰに格納する。
【００４６】
以降の処理は実施形態１と同様であるため説明を省略する。なお、上記ハードウェア構成は一例を示すものであり、上記以外のハードウェアにて本電子機器を構成しても良い。この場合には、各ハードウェア構成における処理は上記処理に限られない。
【００４７】
（実施形態３の処理の流れ）以下に、図１１を用いて本電子機器の処理の流れを示す。本電子機器では、まず、電子機器を撮像モードに切り換える（Ｓ１１０１）。撮像モードに変わると、個人識別情報が入力されているか否かを判断する（Ｓ１１０２）。個人識別情報が入力されていない場合には、個人識別情報の入力を促す表示を行う（Ｓ１１０３）。ユーザからの個人識別情報の入力がされた場合には、ユーザの操作により入力された個人識別情報を受付け（Ｓ１１０５）、個人識別情報が入力されない場合には、デフォルトの個人識別情報の入力を受付ける（Ｓ１１０６）。次に、ユーザが撮像した画像を取得する（Ｓ１１０７）と、撮像した画像と入力された個人識別情報とを含む画像ファイルを生成する（Ｓ１１０８）。生成された画像ファイルは、送信部にて送信することができる（Ｓ１１０９）。送信された画像ファイルは画像蓄積装置にて受信され、画像蓄積装置に蓄積された画像ファイルは、個人識別情報に基づいて分類することができる。
【００４８】
（実施形態３の効果）以上のような構成をとる実施形態３の電子機器では、実施形態１又は２の効果に加えて、個人識別情報を入力せずに撮像モードにした場合に、報知部にて個人識別情報の入力を促す報知を行うことができるため、個人識別情報の入力のし忘れを防ぐことができる。また、万が一ユーザが個人識別情報の入力をしないまま撮像部にて撮像を行った場合であっても、デフォルトの個人識別情報が入力されるため、画像ファイルに必ず個人識別情報を入力することができる。このため、電子機器から送信された画像を受信した画像蓄積装置において、個人識別情報に基づいて画像ファイルを分類することができる。これにより、ユーザが蓄積された複数の画像ファイルの中から目的とする画像ファイルを探し出す場合の利便性を向上させることができる。
【００４９】
≪実施形態４≫（実施形態４の概念）実施形態４について説明する。本電子機器は、実施形態１から３に記載の電子機器を基本とし、さらに、入力受付部の機能に特徴を有する。本電子機器では、一の画像ファイルに複数の個人識別情報を含みうることを特徴とする。また、個人識別情報の入力は、ファインダー内における選択により行うことができることを特徴とする。
【００５０】
（実施形態４の構成）図１２に本実施形態にかかる電子機器の機能ブロック図の一例を示す。本実施形態にかかる電子機器（１２００）は、「入力受付部」（１２０１）と「撮像部」（１２０２）と、「画像ファイル生成部」（１２０３）と、「送信部」（１２０４）とからなり、さらに、「入力受付部」が、「複数入力手段」（１２０５）を有し、画像ファイル生成部が「複数画像ファイル生成手段」（１２０６）を有することを特徴とする。また、入力受付部は、「複数入力手段」及び「複数画像ファイル生成手段」に代えて、又はこれらの構成に加えて「ファインダー内選択手段」（１２０７）を有していても良い。
【００５１】
（実施形態４の構成の説明）「複数入力手段」（１２０５）は、入力受付部が有し、一の画像ファイルに含ませる個人識別情報として複数の個人識別情報を入力可能にするための手段である。「複数の個人識別情報」とは、異なる複数の個人識別情報である。例えば、個人識別情報として、「パパ」「ママ」「ボク」などの複数の個人識別情報の入力を受付けることができる。また、複数の個人識別情報をグループ化して、グループ名と関連付け、入力受付部にてグループ名を入力することとしても良い。例えば、グループ名「家族」とし、グループ名「家族」に「パパ」と「ママ」と「ボク」との個人識別情報を関連付けておく。そして、操作キーなどにて個人識別情報として「家族」と入力された場合には、複数入力手段ではグループ名「家族」に関連付けられている「パパ」と「ママ」と「ボク」との個人識別情報に変換して入力を受付けるようにしても良い。
【００５２】
「複数画像ファイル生成手段」は、画像ファイル生成部が有し、前記複数入力手段にて入力された複数の個人識別情報を含む画像ファイルを生成する手段である。図１３に一の画像ファイルに複数の個人識別情報を含む場合の概念図を示す。図１３では一の画像ファイル（１３０１）に「パパ」と「ボク」の二つの個人識別情報（１３０２）が含まれている。このため、当該画像ファイルを検索する場合には、「パパ」又は「ボク」のいずれか一の個人識別情報又はこれらの組み合わせをキーワードとすることで検索を行うことができる。
【００５３】
「ファインダー内選択手段」（１２０７）とは、入力受付部が有し、入力すべき個人識別情報の候補をファインダー内に表示するとともに、ファインダー内にて選択させるための手段である。「個人識別情報の候補」は、予めファインダー内選択手段に用意されているデフォルトの個人識別情報であっても良いし、ユーザが過去に入力して蓄積された個人識別情報であっても良い。ファインダー内選択手段の具体例を図１４に示す。図１４（ａ）は、ファインダー内選択手段として、個人識別情報がファインダー内（１４０１ａ）にセレクトボックス形式で表示されている場合である。ユーザは、当該セレクトボックスにて一の個人識別情報を選択することができる。また、図１４（ｂ）は、ファインダー内選択手段として、個人識別情報がファインダー内（１４０１ｂ）にてチェックボックス形式にて表示されている場合である。ユーザは一又は複数のチェックボックスにチェックを入れるだけで個人識別情報を選択することができる。また、前記複数入力手段を有する場合には、選択項目にグループ名を加えても良い。
【００５４】
ファインダー内選択手段では、撮像の際に表示されたファインダー内にて個人識別情報を選択することができるため、撮像の際に個人識別情報を修正したい場合に、わざわざメニュー画面等に戻らずに個人識別情報を修正することができるため、ユーザの操作性を向上させることができる。
【００５５】
（実施形態４のハードウェア構成）図１５に、本実施形態における電子機器を実現するためのハードウェア構成を示す。本電子機器（１５０１）は、主としてＣＰＵ（１５０２）、ＲＡＭ等の揮発性メモリ（１５０３）、ＨＤＤ等の不揮発性メモリ（１５０４）、ＣＣＤ（１５０５）、入力操作キー（１５０６）、通信インターフェイス（１５０７）、ＣＣＤにて撮像された画像を表示するディスプレイ（１５０８）、これらを繋ぐシステムバス（１５０９）などからなる。
【００５６】
本電子機器の入力受付部（１２０１）は入力操作キー（１５０６）と不揮発性メモリ（１５０４）などからなり、撮像部（１２０２）はＣＣＤ（１５０５）などからなり、画像ファイル生成部（１２０３）はＣＰＵ（１５０２）と揮発性メモリ（１５０３）と不揮発性メモリ（１５０４）と不揮発性メモリに格納されたプログラムなどからなり、送信部（１２０４）は通信インターフェイス（１５０７）などからなる。
【００５７】
（実施形態４の具体例）以下に、上記ハードウェア構成からなる電子機器の具体的な動作を説明する。本電子機器では、まず、入力操作キー（１５０６）により一又は複数の個人識別情報を入力する。入力操作キーとしては、テンキー、機能操作キー、生体認証装置やディスプレイ上に表示されたソフトウェアキーボード、チェックボックス式やプルダウン式に表示された候補の選択、などのいずれか一又は複数が用意され、これらの操作により個人識別情報を入力することができる。入力された一又は複数の個人識別情報は、個人識別情報の数に応じて不揮発性メモリ（１５０４）の所定のアドレスＰ１からＰｎに格納される。なお、個人識別情報は予め入力せずにＣＣＤ（１５０５）などの撮像部にて画像を撮像する際に入力することとしても良い。
【００５８】
ユーザが電子機器のカメラ機能を起動させると、ＣＰＵ（１５０２）ではディスプレイ（１５０８）に表示されていたメニュー画面等を撮像用ファインダーに切り換え、これと同時に不揮発性メモリのアドレスＰ１からＰｎに格納されている個人識別情報を読み出して図１３に示すように撮像用ファインダーであるディスプレイ内に表示する。個人識別情報が、実際に電子機器を使用しているユーザを識別する情報と異なる場合には、ユーザは入力操作キーを操作することによりユーザを識別する個人識別情報をファインダー内で再度選択し、新たに入力することができる。例えば、ファインダー内選択手段として図１４（ｂ）に示すチェックボックス式の選択手段がファインダー内に表示されている場合には、チェックボックスのチェックを外したり、チェックし直したりすることで再度選択を行うことができる。なお、予め個人識別情報が入力されていなかった場合には、当該画面にて初めて個人識別情報を選択することとしても良い。選択された個人識別情報は、先に格納されていた個人識別情報を上書きしてアドレスＰ１からＰｎに格納されても良いし、選択された個人識別情報にフラグを付すことで、選択されていない個人識別情報と分類しても良い。
【００５９】
ユーザがＣＣＤなどの撮像部にて画像を撮像すると、撮像された画像は揮発性メモリのワーク領域に一時的に格納される。揮発性メモリのワーク領域に画像が格納されると、ＣＰＵではこれを検知してアドレスＰ１からＰｎに格納されている選択された個人識別情報を読み出し、不揮発性メモリの所定のアドレスＱに格納されている画像ファイル生成プログラムを起動する。画像ファイル生成プログラムでは、読み出された個人識別情報を取得し、揮発性メモリの所定のワーク領域に格納された画像に該個人識別情報を含めて画像ファイルとし、これを不揮発性メモリの所定のアドレスＲに格納する。
【００６０】
以降の処理は実施形態１と同様であるため説明を省略する。なお、上記ハードウェア構成は一例を示すものであり、上記以外のハードウェアにて本電子機器を構成しても良い。この場合には、各ハードウェア構成における処理は上記処理に限られない。
【００６１】
≪実施形態５≫（実施形態５の概念）実施形態５について説明する。図１６に本実施形態における画像蓄積装置（１６０１）としてレコーダを、電子機器（１６０２）として携帯電話機を用いた場合の概念を示す。本画像蓄積装置は、実施形態１から４のいずれかに記載の電子機器から送信された個人識別情報を含む画像ファイル（１６０４）を受信し、受信した画像ファイルを画像蓄積装置の蓄積部（１６０３）に蓄積する。また、画像蓄積装置では画像ファイルの個人識別情報を利用して画像ファイルを分類する機能を有し、画像ファイルを効率的に分類表示することができる。
【００６２】
（実施形態５の構成）図１７に本実施形態にかかる画像蓄積装置の機能ブロック図の一例を示す。本実施形態にかかる画像蓄積装置（１７００）は、「受信部」（１７０１）と、「蓄積部」（１７０２）と、「分類部」（１７０３）と、「一覧表示部」（１７０４）と、からなる。
【００６３】
（実施形態５の構成の説明）「画像蓄積装置」（１７００）は、電子機器から送信された画像を受信し、これを蓄積するように構成されている。このため、画像蓄積装置は、少なくともＨＤＤなどの不揮発性メモリを有する。このため、画像蓄積装置は、例えば、パーソナルコンピュータ、ＤＶＤレコーダ、ＨＤＤレコーダ、ＨＤＤナビゲーションシステム、メモリオーディオ、ＨＤＤ内蔵テレビゲーム機等が該当する。
【００６４】
「受信部」（１７０１）は、実施形態１から４のいずれか一に記載の電子機器から送信された画像ファイルを受信するように構成されている。受信部では、画像ファイルを受信するための電子機器との接続方法は、無線接続であっても良いし、有線接続であっても良い。
【００６５】
「蓄積部」（１７０２）は、受信した画像ファイルを蓄積するように構成されている。前記受信部にて受信した画像ファイルは蓄積部にて蓄積される。蓄積部は、例えば、ＨＤＤやフラッシュメモリなどの不揮発性メモリにて構成される。
【００６６】
「分類部」（１７０３）は、蓄積された画像ファイルを各画像ファイルに含まれる個人識別情報を利用して分類するように構成されている。分類部での分類対象である蓄積部にて蓄積されている画像ファイルは、実施形態１から４に記載の電子機器から送信された画像ファイルであるため、画像ファイルには個人識別情報が含まれている。このため、分類部では電子機器にて入力した個人識別情報を分類用のキーワードとして利用することができる。
【００６７】
図１６に示すように、蓄積部に画像ファイルＡからＥが蓄積部（１６０３）に蓄積されている場合に、分類部では、これらの蓄積された画像ファイルの中から特定の個人識別情報を有する画像ファイルだけを抽出することができる。仮に、分類用のキーワードを「パパ」とすると、分類部では、画像ファイルに含まれている個人識別情報を読み取り、「パパ」との個人識別情報を含む画像ファイルを抽出する。図１６では、画像ファイルＡと画像ファイルＣに個人識別情報「パパ」が含まれているため、分類部では画像ファイルＡと画像ファイルＣを抽出する。また、図１８に示すように、蓄積部（１８０１）に蓄積されている画像ファイルに複数の個人識別情報が含まれている場合には、画像ファイルを重複して分類することも可能である。例えば、分類用のキーワードを「パパ」とした場合には、画像ファイルＡと画像ファイルＣと画像ファイルＥが抽出され、キーワードを「ボク」とした場合には、画像ファイルＢと画像ファイルＣが抽出される。
【００６８】
さらに、図１９に示すように、個人識別情報以外の識別情報が画像ファイルに含まれている場合には、分類部は個人識別情報以外の識別情報を利用して分類することとしても良い。例えば、個人識別情報と機器識別情報が画像ファイルに含まれている場合には、分類部では、両者を分類用のキーワードとして分類することができる。例えば、機器識別情報「Ｘ−５０」で特定されるデジタルカメラにて撮像した画像のうち、個人識別情報「パパ」で特定されるユーザが撮影した画像ファイルを抽出したい場合には、分類用のキーワードを「Ｘ−５０］、「パパ」として画像ファイルを分類する。すると、両者のキーワードを含む画像ファイルＡ、Ｃが抽出される。
【００６９】
「一覧表示部」（０２０４）は、分類部での分類結果に従った画像ファイル一覧表示をするように構成されている。図１８に示したように、画像ファイルとして画像ファイルＡ、画像ファイルＣ、画像ファイルＥが分類された場合には、一覧表示部（１８０２）ではこれらの分類された画像を一覧表示する。なお、画像を表示するためのディスプレイは、画像蓄積装置に設けられていても良いし、画像蓄積装置に外部接続されたディスプレイでも良い。画像の表示形式は、サムネイル画像にて表示することとしても良いし、ファイル名のみ表示するなどとしても良いし、特定の表示形式には限られない。
【００７０】
（実施形態５のハードウェア構成）図２０に、本実施形態における電子機器を実現するためのハードウェア構成を示す。本画像蓄積装置（２００１）は、主としてＣＰＵ（２００２）、ＲＡＭ等の揮発性メモリ（２００３）、ＨＤＤ等の不揮発性メモリ（２００４）、入力操作キー（２００５）、通信インターフェイス（２００６）、ディスプレイ（２００７）、これらを繋ぐシステムバス（２００８）などからなる。
【００７１】
本画像蓄積装置の受信部（１７０１）は通信インターフェイス（２００６）などからなり、蓄積部（１７０２）は不揮発性メモリ（２００５）などからなり、分類部（１７０３）はＣＰＵ（２００２）と揮発性メモリ（２００３）と不揮発性メモリ（２００４）と不揮発性メモリに格納された分類プログラムなどからなり、一覧表示部（１７０４）はディスプレイ（２００７）などからなる。
【００７２】
（実施形態５の具体例）以下に、上記ハードウェア構成からなる画像蓄積装置の具体的な動作を説明する。本画像蓄積装置では、まず、通信インターフェイス（２００６）を介して画像ファイルを受信すると、不揮発性メモリ（２００４）の所定のアドレスｐに蓄積していく。不揮発性メモリに画像ファイルが蓄積された状態で、ユーザが画像ファイルを分類する機能を起動すると、ＣＰＵ（２００２）は所定のアドレスｑに格納されている分類プログラムを起動し、ユーザからの分類用のキーワードの入力を受付ける。分類用のキーワードは入力操作キー（２００５）にて入力することができる。分類用のキーワードが入力されると、入力されたキーワードは揮発性メモリ（２００３）の一時メモリ領域に格納される。キーワードがメモリ領域に格納されると、分類プログラムは、当該キーワードにてアドレスｐに格納されている画像ファイルの検索を行う。そして、キーワードと一致する個人識別情報を含む画像ファイルが検知されると、検知された画像ファイルにはフラグが付加されていく。アドレスｐの検索対象の画像ファイルの検索が終わると、フラグが付加された各画像ファイルのアドレスを示すアドレス情報が不揮発性メモリの所定のアドレスｒに格納される。所定のアドレスｒにアドレス情報が格納されると、ＣＰＵでは、当該アドレス情報に基づいてフラグが付加された画像ファイルを読み込み、ディスプレイ上に一覧表示する。このため、ユーザは分類用のキーワードにて分類された結果の画像ファイルの一覧をディスプレイ上で閲覧することができる。
【００７３】
なお、上記ハードウェア構成は一例を示すものであり、上記以外のハードウェアにて本画像蓄積装置を構成しても良い。この場合には、各ハードウェア構成における処理は上記処理に限られない。
【００７４】
（実施形態５の処理の流れ）以下に、図２１を用いて本画像蓄積装置の処理の流れを示す。本画像蓄積装置は、まず、電子機器から画像ファイルを受信する（Ｓ２１０１）。画像ファイルを受信すると、蓄積部にて受信した画像ファイルを蓄積する（Ｓ２１０２）。ユーザは、分類プログラムを立ち上げ（Ｓ２１０３）、分類用の検索キーワードを入力し（Ｓ２１０４）、蓄積部に蓄積された画像ファイルを各画像に含まれる個人識別情報を利用して分類することができる（Ｓ２１０６）。分類が完了すると、分類結果に従った画像ファイルが一覧表示される（Ｓ２１０７）。このため、ユーザは自らが撮像した画像ファイルを個人識別情報に基づいて効率的に探し出すことができる。
【００７５】
ここで、分類用のキーワードにて分類を行う手段は、上記処理手順に限るものではなく、個人識別情報を用いて画像の分類を行えればよい。例えば、図２２（ａ）に示すように、画像ファイル（２２０５）を受信部（２２０１）にて受信すると、自動的に分類部（２２０２）により各個人識別情報に応じて蓄積部（２２０３）における蓄積位置を分類し、対応する個人識別情報を持つ画像ファイルを所定の蓄積位置に蓄積する。そして、分類部での分類結果に従って一覧表示部（２２０４）にて一覧表示する際に、検索キーワード等に対応する個人識別情報が関連付けられた蓄積位置の画像ファイルのみを表示するといった方法でも良い。
【００７６】
図２３に、上記の場合の処理の流れを示す。本画像蓄積装置は、まず、電子機器から画像ファイルを受信する（Ｓ２３０１）。画像ファイルを受信すると、分類部にて画像ファイルの分類が開始される（Ｓ２３０２）。そして、前記分類に応じて画像ファイルが蓄積される（Ｓ２３０３）。ユーザにより、分類用の検索キーワードが入力されると（Ｓ２３０４）、検索キーワードのグループが抽出される（Ｓ２３０５）。そして、抽出結果に従った画像ファイルが一覧表示される（Ｓ２３０６）。このため、ユーザは自らが撮像した画像ファイルを個人識別情報に基づいて効率的に探し出すことができる。
【００７７】
（実施形態５の効果）以上のような構成をとる実施形態５の画像蓄積装置では、実施形態１から４に記載した電子機器により画像ファイルに含まれている自らが入力した個人識別情報を利用して画像ファイルの分類を行うことができる。これにより、ユーザが蓄積された複数の画像ファイルの中から自らが撮像した画像ファイルを探し出す場合の利便性を向上させることができる。
【図面の簡単な説明】
【００７８】
【図１】実施形態１の概念を説明する図
【図２】実施形態１の機能ブロック図
【図３】実施形態１のハードウェア構成図
【図４】実施形態１の処理の流れを説明する図
【図５】実施形態２の概念を説明する図
【図６】実施形態２の機能ブロック図
【図７】実施形態２のハードウェア構成図
【図８】実施形態３の機能ブロック図
【図９】個人識別情報の入力を促す表示を例示する図
【図１０】実施形態３のハードウェア構成図
【図１１】実施形態３の処理の流れを説明する図
【図１２】実施形態４の機能ブロック図
【図１３】複数の個人識別情報が含まれている画像ファイルを例示する図
【図１４】ファインダー内選択手段を例示する図
【図１５】実施形態４のハードウェア構成を例示する図
【図１６】実施形態５の概念を説明する図
【図１７】実施形態５の機能ブロック図
【図１８】蓄積された画像の分類方法を説明する図
【図１９】複数の情報を含む画像ファイルを蓄積する場合を例示する図
【図２０】実施形態５のハードウェア構成を例示する図
【図２１】実施形態５の処理の流れを説明する図
【図２２】実施形態５の他の例を説明する図
【図２３】実施形態５の処理の流れを説明する図（２）
【符号の説明】
【００７９】
０１００、０２００  電子機器
０２０１            入力受付部
０２０２            撮像部
０２０３            画像ファイル生成部
０２０４            送信部
０１０４、１７００  画像蓄積装置
１７０１            受信部
１７０２            蓄積部
１７０３            分類部
１７０４            一覧表示部
【図１】
2008187316.tif 000003
【図２】
2008187316.tif 000004
【図３】
2008187316.tif 000005
【図４】
2008187316.tif 000006
【図５】
2008187316.tif 000007
【図６】
2008187316.tif 000008
【図７】
2008187316.tif 000009
【図８】
2008187316.tif 000010
【図９】
2008187316.tif 000011
【図１０】
2008187316.tif 000012
【図１１】
2008187316.tif 000013
【図１２】
2008187316.tif 000014
【図１３】
2008187316.tif 000015
【図１４】
2008187316.tif 000016
【図１５】
2008187316.tif 000017
【図１６】
2008187316.tif 000018
【図１７】
2008187316.tif 000019
【図１８】
2008187316.tif 000020
【図１９】
2008187316.tif 000021
【図２０】
2008187316.tif 000022
【図２１】
2008187316.tif 000023
【図２２】
2008187316.tif 000024
【図２３】
2008187316.tif 000025